(57)【要約】【課題】  太陽光指向性に優れている調光型太陽光発電モジュール用光学層、及び、調光型太陽光発電モジュール、及び、調光型太陽光発電パネルを提供する。【解決手段】  調光型太陽光発電モジュール用光学層４は、入射面１１及び出射面１２を有し、光を電気エネルギーに変換する太陽電池セル６に対向して配置される調光型太陽光発電モジュール用光学層であって、入射面１１および出射面１２の少なくとも一方に多数のプリズム型光学素子が形成されており、それぞれのプリズム型光学素子は、互いに隣り合うプリズム型光学素子で共有する共有底辺により定義される共有平面上Ｓ１にあり、一部のプリズム型光学素子のプリズム軸７は、共有平面に垂直な面に対して、一方側に傾斜しており、他の少なくとも一部のプリズム型光学素子のプリズム軸７’は、共有平面Ｓ１に垂直な面に対して、他方側に傾斜していることを特徴とする。【選択図】    図１４
2010061637.tif 000002
【特許請求の範囲】
【請求項１】
入射面及び出射面を有し、光を電気エネルギーに変換する太陽電池セルに対向して配置される調光型太陽光発電モジュール用光学層であって、
該入射面および該出射面の少なくとも一方に多数のプリズム型光学素子が形成されており、
それぞれの該プリズム型光学素子は、互いに隣り合うプリズム型光学素子で共有する共有底辺により定義される共有平面上にあり、
一部の該プリズム型光学素子のプリズム軸は、該共有平面に垂直な面に対して、一方側に傾斜しており、他の少なくとも一部の該プリズム型光学素子のプリズム軸は、該共有平面に垂直な面に対して、他方側に傾斜している
ことを特徴とする調光型太陽光発電モジュール用光学層。
【請求項２】
該共有平面に垂直な面に対して、一方側に傾いている該プリズム型光学素子と、該共有平面に垂直な面に対して、他方側に傾いている該プリズム型光学素子とが、該共有平面に垂直な面に対して、対称な形状をしていることを特徴とする請求項１に記載の調光型太陽光発電モジュール用光学層。
【請求項３】
該共有平面に垂直な面に対して、一方側に傾いている該プリズム型光学素子と、該共有平面に垂直な面に対して、他方側に傾いている該プリズム型光学素子とが、互いに隣接していることを特徴とする請求項１または２に記載の調光型太陽光発電モジュール用光学層。
【請求項４】
該共有平面に垂直な面に対して、一方側に傾いている該プリズム型光学素子と、該共有平面に垂直な面に対して、他方側に傾いている該プリズム型光学素子とで対をなしており、該プリズム軸が２対以上であることを特徴とする請求項２または３に記載の調光型太陽光発電パネル用光学層。
【請求項５】
該プリズム型光学素子が、線形プリズム、三角錐型プリズム、四角錐型プリズム、キューブコーナー型プリズムのいずれか、もしくはその組み合わせであることを特徴とする請求項１から４のいずれか１項に記載の調光型太陽光発電モジュール用光学層。
【請求項６】
該プリズム型光学素子の全ての底辺が、該共有平面上に形成されていることを特徴とする請求項１から５のいずれか１項に記載の調光型太陽光発電モジュール用光学層。
【請求項７】
該プリズム型光学素子の底辺の一部が、該共有平面上に形成されていないことを特徴とする請求項１から５のいずれか１項に記載の調光型調光型太陽光発電モジュール用光学層。
【請求項８】
該プリズム型光学素子は、該入射面および該出射面の両面に形成されていることを特徴とする請求項１から７のいずれか１項に記載の調光型太陽光発電モジュール用光学層。
【請求項９】
該入射面に形成される該プリズム型光学素子と該出射面に形成される該プリズム型光学素子とが、互いに同一形状であり、かつ、該入射面と該出射面とにおいて該プリズム型光学素子の位相が一致するように形成されていることを特徴とする請求項８に記載の調光型太陽光発電モジュール用光学層。
【請求項１０】
該入射面に形成された該プリズム型光学素子のプリズム軸と、該出射面に形成された該プリズム型光学素子のプリズム軸とが異なる形状とされていることを特徴とする請求項８に記載の調光型太陽光発電モジュール用光学層。
【請求項１１】
該プリズム型光学素子は、該入射面および該出射面の一方の面のみに形成され、他方の面は平面とされることを特徴とする請求項１から７のいずれか１項に記載の調光型太陽光発電モジュール用光学層。
【請求項１２】
ガラス、または、透明樹脂、または、これらの積層体から成ることを特徴とする請求項１から１１のいずれか１項に記載の調光型太陽光発電モジュール用光学層。
【請求項１３】
光を電気エネルギーに変換する太陽電池セルと、
入射面及び出射面を有し、該太陽電池セルに対向して配置される調光型太陽光発電モジュール用光学層と、
を備え、
調光型太陽光発電モジュール用光学層は、
該入射面および該出射面の少なくとも一方に多数のプリズム型光学素子が形成されており、
それぞれの該プリズム型光学素子は、互いに隣り合うプリズム型光学素子で共有する共有底辺により定義される共有平面上にあり、
一部の該プリズム型光学素子のプリズム軸は、該共有平面に垂直な面に対して、一方側に傾斜しており、他の少なくとも一部の該プリズム型光学素子のプリズム軸は、該共有平面に垂直な面に対して、他方側に傾斜している
ことを特徴とする調光型太陽電池モジュール。
【請求項１４】
光を電気エネルギーに変換する太陽電池セルと、入射面及び出射面を有し、該太陽電池セルに対向して配置される調光型太陽光発電モジュール用光学層とを備える調光型太陽光発電モジュール
を備える調光型太陽電池パネルであって、
調光型太陽光発電モジュール用光学層は、
該入射面および該出射面の少なくとも一方に多数のプリズム型光学素子が形成されており、
それぞれの該プリズム型光学素子は、互いに隣り合うプリズム型光学素子で共有する共有底辺により定義される共有平面上にあり、
一部の該プリズム型光学素子のプリズム軸は、該共有平面に垂直な面に対して、一方側に傾斜しており、他の少なくとも一部の該プリズム型光学素子のプリズム軸は、該共有平面に垂直な面に対して、他方側に傾斜している
ことを特徴とする調光型太陽電池パネル。
【請求項１５】
該調光型太陽光発電モジュール用光学層の該入射面が、正午における太陽の方向を向いて設置されることを特徴とする請求項１４に記載の調光型太陽電池パネル。
【請求項１６】
該プリズム軸が、水平方向に対して−４０°〜＋４０°傾斜していることを特徴とする請求項１５に記載の調光型太陽光発電パネル。
【請求項１７】
該プリズム軸が、水平方向に対して−４０〜−５°および／または＋５〜＋４０°傾斜していることを特徴とする請求項１６に記載の調光型太陽光発電パネル。
【請求項１８】
調光型太陽光発電モジュール用光学層の該入射面が鉛直方向に対して０〜２０°傾斜していることを特徴とすることを特徴とする請求項１６または１７に記載の調光型太陽光発電パネル。
【請求項１９】
設置された状態における該プリズム軸が、鉛直方向に対して、＋１０〜＋５０°傾斜していることを特徴とする請求項１６または１７に記載の調光型太陽光発電パネル。
【発明の詳細な説明】
【技術分野】
【０００１】
本発明は、調光型太陽光発電モジュール用光学層、及び、調光型太陽光発電モジュール、及び、調光型太陽光発電パネルに関する。【０００２】
さらに詳しくは、改善された太陽光指向性、設置面積改善性を有する調光型太陽光発電モジュール用光学層、及び、調光型太陽光発電モジュール、及び、調光型太陽光発電パネルに関する。
【背景技術】
【０００３】
太陽光発電パネルの構造としては、太陽電池セルを敷き詰めた構造の太陽光発電モジュールを、例えば、屋根上や地面上にパネル面を南の方向に向けて設置する非集光固定型の構造が一般的である。この場合、太陽光発電パネル面は、南に向けられ、太陽の受光効率が最大となるように傾けて設置される。【０００４】
このような従来公知の太陽光発電パネルは、パネルを傾斜して設置する必要があるため、比較的大きな設置面積を必要とし、設置場所が限定され、設置面積改善性を満足しないという問題点を有している。【０００５】
さらに、従来公知の太陽光発電パネルは、太陽の日内での移動や季節差による南中高度の変化などにより、設置される太陽光発電パネルの方向や傾斜角度が常に最適であるとはいえず太陽光指向性に優れていないという問題点を有している。【０００６】
一方、太陽光発電装置の中で大きなコスト割合を占める太陽電池セルの使用量を減らすために、レンズや反射鏡等の光学系を用いて太陽光を小さな太陽電池セルに集光する集光型太陽光発電パネルがさまざま提案されている。【０００７】
これらの集光型太陽光発電パネルにおいても、どのような光学系が優れた設置面積改善性や太陽光指向性を有することが出来るかに関しては提案されていない。【０００８】
また、レンズや反射鏡等の光学システムを用いて太陽光を太陽電池セルに集め、焦点が常に太陽電池セルにあたるように光学システムが太陽を追尾する集光追尾型太陽光発電パネルが提案されている。【０００９】
このような集光追尾型太陽光発電パネルは、優れた太陽光指向性を有しているが、大掛かりな追尾システムを必要とするために製造コストが高く、設置面積も広くなると言う問題点を有している。【００１０】
南方等の特開２００７−０７３７７４号（特許文献１）には、受光面に受光した光の光エネルギーを電気エネルギーに変換する光電変換素子と、入射した外部光を、予め定める方向への指向性が高くなるように偏向する外部光偏向手段と、前記外部光偏向手段によって偏向された光が入射する入射面を有し、この入射面から入射した入射光を、前記光電変換素子の受光面上に集光する集光手段とを含むことを特徴とする太陽電池、が記載されている。【００１１】
安沢等の特開２００６−３３２１１３号には、太陽光を集光する１次光学系と、前記１次光学系から照射される太陽光を集光して太陽電池セルに照射する２次光学系と、前記１次光学系および２次光学系から照射される太陽光を受光する太陽電池セルを備える集光型太陽光発電モジュールであって、前記２次光学系は開口部を有していることを特徴とする集光型太陽光発電モジュール、が記載されている。【００１２】
チャン（Ｃｈｉａｎｇ）のＵＳ５,１６７,７２４（特許文献３）には、空間を作る前面壁と背面壁とを有するハウジングと、この空間に設けられる太陽電池セルとを備える、平面型太陽光発電モジュールが記載されている。この平面型太陽光発電モジュールにおいては、レンズは、太陽光がハウジング内に入るようにハウジングの前面壁として設けられている。そして、太陽電池セルに接触してレンズと対向するように設けられる光学的屈折素子が記載されており、この光学的屈折素子は、レンズを通してハウジング内に入る太陽光を直接受け、太陽電池セルが発電できるように太陽電池セルに太陽光を供給するものである。【００１３】
笹岡の特開２００２−２８９８９７号（特許文献４）には、矩形入射面を有する一次光学系と、一次光学系で集めた太陽光線を入射面から略全入射し、側面では全反射し、射出面から射出する二次光学系とを備え、二次光学系は側面が平滑性を有する中実かつ均一媒質からなる透明材料で構成されており、かつ、矩形の射出面を有し、前記矩形射出面の直後に光起電力素子を少なくとも備えることを特徴とする集光型太陽電池モジュール、が記載されている。【００１４】
近藤等の特開２００３−２５８２９１号（特許文献５）には、太陽光に光学軸を向けて配設されたフレネルレンズと、太陽電池と、前記フレネルレンズと前記太陽電池との間に介設され、前記フレネルレンズによって集光される光束を入射させて内部で反射させつつ前記太陽電池へ導光する低次多角形断面のプリズム二次集光器とを具備する集光式太陽光発電装置、が記載されている。
【先行技術文献】
【特許文献】
【００１５】
【特許文献１】特開２００７−０７３７７４号公報
【特許文献２】特開２００６−３３２１１３号公報
【特許文献３】米国特許５,１６７,７２４号公報
【特許文献４】特開２００２−２８９８９７号公報
【特許文献５】特開２００３−２５８２９１号公報
【発明の概要】
【発明が解決しようとする課題】
【００１６】
本発明が解決しようとしている課題は、従来公知の太陽光発電パネルにおいては、太陽の日内での移動による太陽光の入射角度の変化などにより、設置される太陽光発電パネルの方向が常に最適であるとはいえず太陽光指向性に優れていないという問題点を改善することである。【００１７】
またさらに本発明が解決しようとしている課題は、太陽光発電パネル中で原料コスト比率の大きな太陽電池セルの使用量を減らすことにある。【００１８】
具体的な用途としては、改善された太陽光指向性、設置面積改善性を有する調光型太陽光発電パネルの供給をすることができる調光型太陽光発電モジュール用光学層、及び、それを用いた調光型太陽光発電モジュール、及び、調光型太陽光発電パネルことにある。
【課題を解決するための手段】
【００１９】
本発明の調光型太陽光発電モジュール用光学層は、入射面及び出射面を有し、光を電気エネルギーに変換する太陽電池セルに対向して配置される調光型太陽光発電モジュール用光学層であって、該入射面および該出射面の少なくとも一方に多数のプリズム型光学素子が形成されており、それぞれの該プリズム型光学素子は、互いに隣り合うプリズム型光学素子で共有する共有底辺により定義される共有平面上にあり、一部の該プリズム型光学素子のプリズム軸は、該共有平面に垂直な面に対して、一方側に傾斜しており、他の少なくとも一部の該プリズム型光学素子のプリズム軸は、該共有平面に垂直な面に対して、他方側に傾斜していることを特徴とするものである。【００２０】
ここで、本発明におけるプリズム軸とは、プリズム型光学素子を形成するプリズム面の中心をなす面または線である。【００２１】
従来から、太陽光を調光する光学層と、該光学層を透過した太陽光を電気エネルギーに変換する太陽電池セルとを備える調光型太陽光発電モジュールからなる調光型太陽光発電パネルは、集光型太陽光発電パネルとしてよく知られた構造である。【００２２】
しかしながら、このような光学層が設置された集光型太陽光発電パネルにおいては、如何なる光学素子が設置された光学層が優れた設置面積改善性や太陽光指向性を示すかは明らかにされていない。【００２３】
本発明による調光型太陽光発電モジュール用光学層によれば、それぞれのプリズム型光学素子は、互いに隣り合うプリズム型光学素子で共有する共有底辺により定義される共有平面上にあり、一部の該プリズム型光学素子のプリズム軸は、共有平面に垂直な面に対して、一方側に傾斜しており、他の少なくとも一部のプリズム型光学素子のプリズム軸は、共有平面に垂直な面に対して、他方側に傾斜している。従って、この調光型太陽光発電モジュール用光学層を用いた太陽電池モジュール等は、太陽の移動に伴う太陽光の入射角度が変化する場合においても、優れた太陽光指向性を有するものとすることができる。【００２４】
また、上記調光型太陽光発電モジュール用光学層において、該共有平面に垂直な面に対して、一方側に傾いている該プリズム型光学素子と、該共有平面に垂直な面に対して、他方側に傾いている該プリズム型光学素子とが、該共有平面に垂直な面に対して、対称な形状をしていることが好ましい。【００２５】
このように構成することで、一方側から太陽光が入射して出射する場合と、他方側から太陽光が入射して出射する場合とでバランスを取ることができる。【００２６】
また、上記調光型太陽光発電モジュール用光学層において、該共有平面に垂直な面に対して、一方側に傾いている該プリズム型光学素子と、該共有平面に垂直な面に対して、他方側に傾いている該プリズム型光学素子とが、互いに隣接していることが好ましい。このように構成することで、一方側から太陽光が入射して出射する場合と、他方側から太陽光が入射して出射する場合とで、よりバランスを取ることができる。【００２７】
また、上記調光型太陽光発電モジュール用光学層において、該共有平面に垂直な面に対して、一方側に傾いている該プリズム型光学素子と、該共有平面に垂直な面に対して、他方側に傾いている該プリズム型光学素子とで対をなしており、該プリズム軸が２対以上であることとしても良い【００２８】
また、上記調光型太陽光発電モジュール用光学層において、該プリズム型光学素子が、線形プリズム、三角錐型プリズム、四角錐型プリズム、キューブコーナー型プリズムのいずれか、もしくはその組み合わせであることが、改善された太陽光指光性が得られるので好ましい。【００２９】
中でも、キューブコーナー型プリズムが太陽指光性の改善効果が大きいので好ましい。【００３０】
また、上記調光型太陽光発電モジュール用光学層において、該プリズム型光学素子の全ての底辺が、該共有平面上に形成されていることが好ましい。このように構成することで、互いに向き合うプリズム面の面積の大きさを近づけることができ、セルに向かう光の量を多くすることができる。【００３１】
或いは、上記調光型太陽光発電モジュール用光学層において、該プリズム型光学素子の底辺の一部が、該共有平面上に形成されていないこととしてもやはり好ましい。このように構成することで互いに向き合うプリズム面の面積の大きさを近づけることができ、セルに向かう光の量を多くすることができる。【００３２】
更に、上記調光型太陽光発電モジュール用光学層において、該プリズム型光学素子は、該入射面および該出射面の両面に形成されていることが好ましい。このように構成することで、入射光率及び透過効率を向上することができる。【００３３】
また、上記調光型太陽光発電モジュール用光学層において、該入射面に形成される該プリズム型光学素子と該出射面に形成される該プリズム型光学素子とが、互いに同一形状であり、かつ、該入射面と該出射面とにおいて該プリズム型光学素子の位相が一致するように形成されていることとしても良い。【００３４】
或いは、上記調光型太陽光発電モジュール用光学層において、該入射面に形成された該プリズム型光学素子のプリズム軸と、該出射面に形成された該プリズム型光学素子のプリズム軸とが少なくとも１つは異なることとしても良い。【００３５】
また、上記調光型太陽光発電モジュール用光学層において、該プリズム型光学素子は、該入射面および該出射面の一方の面のみに形成され、他方の面は平面とされることが好ましい。この様に構成することで、入射光率及び透過効率を向上することができる。【００３６】
また、本発明に用いることの出来る光学層の材質は光透過性の高いものであれば特に限定されるものではないが、上記調光型太陽光発電モジュール用光学層において、ガラス、または、透明樹脂、または、これらの積層体から成ることが好ましい。なお、ガラスとしては、ソーダ石灰ガラス、ホウケイ酸ガラス、鉛ガラス、アルミノケイ酸ガラス、ホウ酸塩ガラス、リン酸塩ガラス等が好ましく、樹脂としては、ポリカーボネート樹脂，アクリル樹脂が好ましい。この様に構成することで耐候性、透明性、入射効率、透過効率の点で優れた調光型太陽光発電モジュール用光学層とすることができる。【００３７】
また、本発明の調光型太陽光発電モジュールは、光を電気エネルギーに変換する太陽電池セルと、入射面及び出射面を有し、該太陽電池セルに対向して配置される調光型太陽光発電モジュール用光学層と、を備え、調光型太陽光発電モジュール用光学層は、該入射面および該出射面の少なくとも一方に多数のプリズム型光学素子が形成されており、それぞれの該プリズム型光学素子は、互いに隣り合うプリズム型光学素子で共有する共有底辺により定義される共有平面上にあり、一部の該プリズム型光学素子のプリズム軸は、該共有平面に垂直な面に対して、一方側に傾斜しており、他の少なくとも一部の該プリズム型光学素子のプリズム軸は、該共有平面に垂直な面に対して、他方側に傾斜していることを特徴とするものである。
このような調光型太陽光発電モジュールは、この太陽光の入射角が広いため、太陽光の入射角が変わる場合においても、優れた太陽光指向性を有するものとすることができる。【００３８】
また、本発明の調光型太陽光発電パネルは、光を電気エネルギーに変換する太陽電池セルと、入射面及び出射面を有し、該太陽電池セルに対向して配置される調光型太陽光発電モジュール用光学層とを備える調光型太陽光発電モジュールを備える調光型太陽電池パネルであって、調光型太陽光発電モジュール用光学層は、調光型太陽光発電モジュール用光学層は、該入射面および該出射面の少なくとも一方に多数のプリズム型光学素子が形成されており、それぞれの該プリズム型光学素子は、互いに隣り合うプリズム型光学素子で共有する共有底辺により定義される共有平面上にあり、一部の該プリズム型光学素子のプリズム軸は、該共有平面に垂直な面に対して、一方側に傾斜しており、他の少なくとも一部の該プリズム型光学素子のプリズム軸は、該共有平面に垂直な面に対して、他方側に傾斜していることを特徴とするものである。【００３９】
このような調光型太陽光発電パネルは、この太陽光の入射角が広いため、太陽光の入射角が変わる場合においても、優れた太陽光指向性を有するものとすることができる。【００４０】
さらに、上記調光型太陽光発電パネルにおいて、該調光型太陽光発電モジュール用光学層の該入射面が、正午における太陽の方向を向いて設置されることが好ましい。【００４１】
ここで、正午における太陽の方向とは、太陽が最も高い高度に達する時の方向を言い、北半球では真南である。【００４２】
さらに、上記調光型太陽光発電パネルにおいて、該プリズム軸が、水平方向に対して、−４０°〜＋４０°傾斜していることが好ましい。この様に構成することで、日内における太陽の移動に伴う光量変化を緩和することが出来き、太陽光指向性の改善を達成することができる。【００４３】
さらに、上記調光型太陽光発電パネルにおいて、該プリズム軸が、水平方向に対して、４０〜−５°および／または＋５〜＋４０°傾斜していることが好ましい。【００４４】
また、上記調光型太陽光発電パネルにおいて、調光型太陽光発電モジュール用光学層の該入射面が鉛直方向に対して０〜２０°傾斜していることが好ましい。この様に構成することで、パネルを大きく傾斜して設置する必要が無い。【００４５】
また、上記調光型太陽光発電パネルにおいて、設置された状態における該プリズム軸が、鉛直方向に対して、＋１０〜＋５０°傾斜していることが好ましい。このように構成することで、太陽光をプリズム軸に沿って受光し効率的に太陽電池セルに照射させることが出来る。【００４６】
四角錘型プリズムの側面が形成する頂角は、特に制限されるものではないが、３０〜１３５°、さらに好ましくは４５〜１２５°の角度に形成されるのが好ましい。この頂角は目的とする太陽光発電パネルの設置場所、設置角度または目的とする太陽光指向性の設計に基づいて適宜変更できる。【００４７】
キューブコーナー型プリズムにおいては通常、側面の形成する頂角は９０°に形成されるが、クロスプリズムと同様に、３０〜１３５°さらに好ましくは４５〜１２５°の角度に形成されるのが好ましい。この頂角は目的とする太陽光発電パネルの設置場所、設置角度または目的とする太陽光指向性の設計に基づいて適宜変更できる。【００４８】
本発明においては、該複数のプリズム型光学素子のプリズム軸が、少なくとも１つの隣り合うプリズム型素子と該共有線に対し対称であるように設置するのが、調光型太陽光発電パネルの外観の改善や光学層を精度よく成形でき、成形後の光学素子の精度の維持および検査のしやすさ、さらに該パネルへの光の入射量を多くできる点で好ましい。【００４９】
本発明においては、光学層を薄くすることができ、コスト面や光の透過量を向上させるため、該複数のプリズム型光学素子の底面が、該光学層の入射面および／または出射面と一致する共有平面上に形成されていることが好ましい。【００５０】
また、本発明では、別の目的で、光学素子の相対する各面の面積を揃えることで光学収率が向上した光学層が得られるので、該複数のプリズム型光学素子の底面が、該光学層の入射面および／または出射面と一致する共有平面上に形成されていない素子が含まれることが好ましい。【００５１】
また太陽光の光学素子の頂点の側に空気層が設置されていることが、効率的に入射した太陽光線を屈折して効率的に太陽電池セルに照射させることが出来るため好ましい。【００５２】
本発明においては、入射面および出射面の両面にプリズム型光学素子が形成されていることが、様々な光学特性を得ることができ、太陽光発電パネルへ光の入射量を多くできるので好ましい。【００５３】
本発明においては、該プリズム型光学素子が、互いに同一形状で、かつ、該入射面と該出射面で位相が一致するように形成されていることが、様々な光学特性を得ることができ、太陽光発電パネルへ光の入射量を多くできるのでさらに好ましい。【００５４】
本発明においては、該入射面に構成された該プリズム型光学素子と該出射面に構成された該プリズム型光学素子で異なることが、様々な光学特性を得ることができ、太陽光発電パネルへ光の入射量を多くできるので好ましい。【００５５】
本発明においては、対をなして設置されている対称形の素子が２種類以上形成されていることが、様々な光学特性を得ることができ、太陽光発電パネルへ光の入射量を多くできるので好ましい。【００５６】
これらの樹脂には耐侯性を付与するために紫外線吸収剤、酸化防止剤、光安定剤を含有させることも好ましい。【００５７】
本発明に用いることの出来る太陽電池セルは特に限定されるものではない。【００５８】
本発明に好ましく用いることの出来る太陽電池セルの例としては、Ｓｉ、ＧａＡｓ、ＣｕＩｎＧａＳｅ、ＣｄＴｅ等からなる無機太陽電池セルや、色素増感型太陽電池セル等の有機太陽電池セルが用いられる。【００５９】
さらに、本発明に用いることの出来る太陽電池セルの構造は、単一接合型セル、モノリシック多接合型セルおよび感度領域の異なる種々太陽電池セルを結合したメカニカルスタックセル等を好ましく用いられる。【００６０】
例えば、プリズム型光学素子のプリズム軸がパネルを真南に向けた時に東西方向に＋４０°、−４０°、＋５°、−５°、＋４０°、−４０°、＋５°、−５°…のように対称計の光学素子の対が複数あったほうがより受光効率の改善のためには好ましい。【００６１】
このようにして東西方向にプリズム軸の傾斜方向が分けられた素子群を用いることは太陽光指向性の改善を達成する上で好ましい。【００６２】
上述のいずれのプリズム軸を傾斜した技術によっても、この太陽光の入射角を広くすることができ、太陽光の入射角が変わる場合においても、優れた太陽光指向性を有するものとすることができる。
【発明の効果】
【００６３】
太陽の日内での移動により、設置される太陽光発電パネルの方向が常に最適であるとはいえず、太陽光指向性に劣るという問題点が有ったが、本発明はその問題点を解決することができ、優れた太陽光指向性が得られる。【００６４】
さらに、太陽光発電パネル中で原料コスト比率の大きな太陽電池セルの使用量を減らすことが出来る。
【図面の簡単な説明】
【００６５】
【図１】従来技術による太陽光発電パネルと太陽光線軌跡を示す図である。
【図２】従来技術による太陽光発電パネルと太陽光線軌跡を示す図である。
【図３】従来技術による太陽光発電パネルと太陽光線軌跡を示す図である。
【図４】従来技術による太陽光発電パネルと太陽光線軌跡を示す図である。
【図５】本発明による太陽光発電パネルと太陽光線軌跡を示す図である。
【図６】本発明による太陽光発電パネルと太陽光線軌跡を示す図である。
【図７】従来技術によるプリズム型光学素子の斜視図を示す図である。
【図８】従来技術によるプリズム型光学素子の側面図を示す図である。
【図９】従来技術によるプリズム型光学素子の上面図を示す図である。
【図１０】従来技術によるプリズム型光学素子の斜視図を示す図である。
【図１１】従来技術によるプリズム型光学素子の側面図を示す図である。
【図１２】従来技術によるプリズム型光学素子の上面図を示す図である。
【図１３】本発明の調光型太陽光発電モジュール用光学層の斜視図を示す図である。
【図１４】本発明の調光型太陽光発電モジュール用光学層の側面図を示す図である。
【図１５】本発明の調光型太陽光発電モジュール用光学層の上面図を示す図である。
【図１６】本発明の調光型太陽光発電モジュール用光学層の斜視図を示す図である。
【図１７】本発明の調光型太陽光発電モジュール用光学層の側面図を示す図である。
【図１８】本発明の調光型太陽光発電モジュール用光学層の上面図を示す図である。
【図１９】本発明の調光型太陽光発電モジュール用光学層の斜視図を示す図である。
【図２０】本発明の調光型太陽光発電モジュール用光学層の側面図を示す図である。
【図２１】本発明の調光型太陽光発電モジュール用光学層の上面図を示す図である。
【図２２】本発明の調光型太陽光発電モジュール用光学層の斜視図を示す図である。
【図２３】本発明の調光型太陽光発電モジュール用光学層の側面図を示す図である。
【図２４】本発明の調光型太陽光発電モジュール用光学層の上面図を示す図である。
【図２５】本発明の調光型太陽光発電モジュール用光学層の斜視図を示す図である。
【図２６】本発明の調光型太陽光発電モジュール用光学層の側面図を示す図である。
【図２７】本発明の調光型太陽光発電モジュール用光学層の上面図を示す図である。
【図２８】従来技術による光学層の斜視図を示す図である。
【図２９】従来技術による光学層の側面図を示す図である。
【図３０】従来技術による光学層の他の側面図を示す図である。
【図３１】従来技術による光学層の上面図を示す図である。
【図３２】本発明の調光型太陽光発電モジュール用光学層の斜視図を示す図である。
【図３３】本発明の調光型太陽光発電モジュール用光学層の側面図を示す図である。
【図３４】本発明の調光型太陽光発電モジュール用光学層の他の側面図を示す図である。
【図３５】本発明の調光型太陽光発電モジュール用光学層の上面図を示す図である。
【図３６】本発明の調光型太陽光発電モジュール用光学層の斜視図を示す図である。
【図３７】本発明の調光型太陽光発電モジュール用光学層の側面図を示す図である。
【図３８】本発明の調光型太陽光発電モジュール用光学層の他の側面図を示す図である。
【図３９】本発明の調光型太陽光発電モジュール用光学層の上面図を示す図である。
【図４０】本発明の調光型太陽光発電モジュール用光学層の斜視図を示す図である。
【図４１】本発明の調光型太陽光発電モジュール用光学層の側面図を示す図である。
【図４２】本発明の調光型太陽光発電モジュール用光学層の側面図を示す図である。
【図４３】本発明の調光型太陽光発電モジュール用光学層の平面図を示す図である。
【図４４】参考例の調光型太陽光発電モジュール用光学層の斜視図を示す図である。
【図４５】参考例の調光型太陽光発電モジュール用光学層の側面図を示す図である。
【図４６】参考例の調光型太陽光発電モジュール用光学層の上面図を示す図である。
【図４７】本発明の太陽光発電モジュールの断面図である。
【図４８】本発明の調光型太陽光発電モジュール用光学層の斜視図を示す図である。
【図４９】本発明の調光型太陽光発電モジュール用光学層の側面図を示す図である。
【図５０】本発明の調光型太陽光発電モジュール用光学層の他の側面図を示す図である。
【図５１】本発明の調光型太陽光発電モジュール用光学層の平面図を示す図である。
【図５２】本発明の調光型太陽光発電モジュール用光学層の用いるプリズム型光学素子の他の例を示す図である。
【図５３】図７〜図９、および、図２８〜図３１に示す、従来技術による光学層を光が透過する様子を示す図である。
【図５４】図１０〜図１２に示す、参考例における光学層を光が透過する様子を示す図である。
【図５５】図１３〜図１５に示す本発明の実施形態における調光型太陽光発電モジュール用光学層を光が透過する様子を示す図である。
【図５６】図１６〜図１８に示す本発明の他の実施形態における調光型太陽光発電モジュール用光学層を光が透過する様子を示す図である。
【図５７】図１９〜図２１に示す本発明の他の実施形態における調光型太陽光発電モジュール用光学層を光が透過する様子を示す図である。
【図５８】図２２〜図２４に示す本発明の他の実施形態における調光型太陽光発電モジュール用光学層を光が透過する様子を示す図である。
【図５９】図２５〜図２７に示す本発明の他の実施形態における調光型太陽光発電モジュール用光学層を光が透過する様子を示す図である。
【図６０】図３２〜図３５に示す本発明の他の実施形態における調光型太陽光発電モジュール用光学層を光が透過する様子を示す図である。
【図６１】図３６〜図３９に示す本発明の他の実施形態における調光型太陽光発電モジュール用光学層を光が透過する様子を示す図である。
【図６２】図４０〜図４３に示す本発明の実施形態における調光型太陽光発電モジュール用光学層を光が透過する様子を示す図である。
【図６３】図４４〜図４６に示す参考例における調光型太陽光発電モジュール用光学層を光が透過する様子を示す図である。
【発明を実施するための形態】
【００６６】
本発明による調光型太陽光発電パネルの好ましい形態を図を引用しつつ以下に説明を行う。
【００６７】
図１は、従来技術による傾斜したパネル面を持つ太陽光発電パネルＰと日内での太陽光線軌跡を説明する斜視図である。特に本図面における太陽Ｔｓの南中高度は高く示されており、本図面は、夏期での太陽Ｔｓの移動軌跡を示す斜視図である。
【００６８】
図１に示すように、太陽光発電パネルは、パネル面Ｐが、南（Ｓ）に向けられて設置されており、さらに、太陽光発電パネルは、パネルの中心点ｏから鉛直線方向Ｖに対して傾斜されて設置されている。パネル面Ｐを傾斜することにより太陽光指向性が改善されている。しかしながら、東（Ｅ）から昇った太陽Ｔが南中位置を通過して西（Ｗ）に没するまで、パネル面Ｐと太陽光線の入射角度は常に変化を続け、したがって、発電効率は南中位置を最大として常に変化している。
【００６９】
この従来技術による傾斜したパネル面を持つ太陽光発電パネルＰは、過大な入射角において、太陽光線がパネル表面で反射してパネル内部の太陽電池セルに到達することが出来ないために、発電効率が著しく低下すると言う問題がある。
【００７０】
このような問題点は、プリズム型の光学層が無い場合は特に深刻である。
【００７１】
図２は、やはり従来技術による傾斜したパネル面を持つ太陽光発電パネルＰと日間での太陽光線軌跡を説明する斜視図である。特に本図面における太陽Ｔｗの南中高度は低く示されており、本図面は、冬期間での太陽の移動軌跡を示す斜視図である。
【００７２】
図２においても図１と同様に、東（Ｅ）から昇った太陽Ｔｗが南中位置を通過して西（Ｗ）に没するまで、パネル面Ｐと太陽光線の入射角度は常に変化を続け、したがって、発電効率は南中位置を最大として常に変化している。
【００７３】
冬季においては南中高度が低いために入射角度が大きくなり、夏季に比べて過大な入射角が発生しやすく、太陽光線はパネル表面で反射してパネル内部の太陽電池セルに到達することが困難になる。このために、従来技術による傾斜したパネル面を持つ太陽光発電パネルＰは、発電効率は著しく低下すると言う問題がある。
【００７４】
図３は、従来技術による傾斜したパネル面を持つ太陽光発電パネルＰと冬季の太陽Ｔｗと夏季での太陽Ｔｓの南中高度とパネル入射角の関係を説明する側面図である。図３に示す様に、冬季における太陽Ｔの南中高度は低く、夏季においては高い。
【００７５】
冬季と夏季の発電効率を均等化するためには、パネルの傾斜角度は、冬季と夏季における南中位置の太陽角度の平均を採用することが出来る。しかしながらこのようなパネル傾斜角の採用は冬季、夏季のいずれにおいても変換効率を犠牲にする。
【００７６】
図４は、従来技術による傾斜したパネル面を持つ太陽光発電パネルＰと日内での太陽光線軌跡を説明する側面図である。
【００７７】
図４に示すように、夜明けにおいて東（Ｅ）から昇った太陽Ｔが南中位置を通過して西（Ｗ）に没するまで、パネル面Ｐと太陽光線の入射角度は常に変化を続ける。従って、発電効率は南中位置を最大として常に変化している。
【００７８】
図５は、本発明による略鉛直に設置されたパネル面を持つ太陽光発電パネルＰと、夏期と冬季における日間および日内の太陽Ｔｓ、Ｔｗの位置と、日内の太陽光線軌跡とを説明する斜視図である。本発明による太陽光発電パネルは、鉛直に設置されているために従来の傾斜して設置された公知の太陽光発電パネルに比較して設置面積が少なくてすむと言う利点を有している。
【００７９】
また、従来公知の太陽発電パネルＰにおいては、平地面、屋根面などに設置場所が限定されているのに対して、本発明における太陽光発電パネルは壁面、フェンス、標識などの垂直面にも設置することが可能であり設置可能な範囲を広げることが可能である。
【００８０】
図６は、本発明による略鉛直に設置されたパネル面を持つ太陽光発電パネルＰと冬季と夏季での太陽Ｔの南中高度とパネル入射角の関係を説明する側面図である。
【００８１】
図６に示すように、本発明の略鉛直に設置されたパネル面を持つ太陽光発電パネルＰにおいては、パネル面に対する入射角度は、冬季、夏季のいずれの場合にも大きくなり、かつ、冬季と夏季の均一化をパネルの傾斜角度で達成することは出来ない。
【００８２】
本発明において上述のような入射角の問題点は、太陽発電モジュールの前面に設置された光学層に設置された光学素子のもつ光学軸を太陽Ｔｓ、Ｔｗの入射軸方向に傾斜することによって改善することが出来る。
【００８３】
プリズム軸の傾斜角度は、従来公知の傾斜設置パネルＰの場合と同じように、冬季と夏季の発電効率を均等化するため、冬季と夏季における南中位置の太陽角度の平均を採用することが好ましい。
【００８４】
なお、本発明におけるプリズム軸とは素子を形成する側面から互いに等しい距離にある中心軸として定義される。
【００８５】
図７、図８、および、図９は、従来技術における光学層である。具体的には、図７は、従来技術の光学層の斜視図を示す図であり、図８は、従来技術における光学層の側面図を示す図であり、図１２は、従来技術における光学層の上面図を示す図である。図７〜図９に示すように、光学層の入射面１１には、線形プリズムで構成されたプリズム型光学素子が多数形成されている。このプリズム型光学素子は、入射面１１に設置された互いに隣り合う複数のプリズム型光学素子で共有する共有底辺により定義される共有平面Ｓ１上にあり、プリズム型光学素子のプリズム軸７は、光学素子の頂点から該共有平面に下した垂線に対し一致している。
【００８６】
尚、図７に示す線形プリズムの場合、光学素子の頂点の集合により直線が形成されている。
【００８７】
図１０、図１１、図１２は、従来技術による光学層である。具体的には、図１０は、従来技術によるプリズム型光学素子の斜視図を示す図であり、図１１は、従来技術によるプリズム型光学素子の側面図を示す図であり、図１２は、従来技術によるプリズム型光学素子の上面図を示す図である。図１０〜図１２に示すように、本参考例における調光型太陽光発電モジュール用光学層は、プリズム型光学素子が入射面１１および出射面１２の両方に多数形成されている。そして、このプリズム型光学素子は、線形プリズムで構成されている。また、それぞれのプリズム型光学素子は、入射面１１および出射面１２に形成された互いに隣り合うプリズム型光学素子で共有する共有底辺により定義される共有平面Ｓ１、Ｓ２上にあり、それぞれのプリズム型光学素子のプリズム軸７は、共有平面に下した垂線に対し一致している。
【００８８】
このように入射面１１および出射面１２の両方にプリズム型光学素子が複数設置されている場合、入射面１１および出射面１２のプリズム型光学素子の位相が図のようにそろっていることが、光の入射効率を最大にするために好ましい。
【００８９】
図１３、図１４、図１５は、本発明における実施形態の調光型太陽光発電モジュール用光学層である。具体的には、図１３は、本実施形態の調光型太陽光発電モジュール用光学層の斜視図を示す図であり、図１４は、本実施形態における調光型太陽光発電モジュール用光学層の側面図を示す図であり、図１５は、本実施形態における調光型太陽光発電モジュール用光学層の上面図を示す図である。図１３〜図１５に示すように、本実施形態の調光型太陽光発電モジュール用光学層は、プリズム型光学素子が入射面１１にのみ多数形成され、出射面１２が平面とされている。また、このプリズム型光学素子は、入射面１１に形成された互いに隣り合うプリズム型光学素子で共有する共有底辺により定義される共有平面Ｓ１上にある。そして、プリズム型光学素子の一部のプリズム軸７は、共有平面Ｓ１に垂直な面１３に対して、一方の方向に傾き、プリズム型光学素子の他の少なくとも一部のプリズム軸７’は、他方の方向に傾きいている。本実施形態においては、互いに隣り合う１対のプリズム型光学素子のそれぞれのプリズム軸７、７が互いに異なる方向に傾斜している。
【００９０】
このような図１３〜図１５に示す調光型太陽光発電モジュール用光学層のように、プリズム軸の傾斜方向が分けられたプリズム型光学素子群を用いることは、太陽光指向性の改善を達成する上で好ましい。具体的には、プリズム軸の傾斜方向が振り分けられたそれそれの方向を東西に向けることにより、太陽が移動しても長時間集光を行うことができる。
【００９１】
特に太陽光が東西いずれの位置にあるときにも受光効率を改善するためには、プリズム型光学素子のプリズム軸が搭載された調光型太陽光発電パネルを真南に向けた時に東西方向に−４０〜−５°及び／又は＋５〜＋４０°相対する方向に傾斜した対称形の光学素子を一対として設置することが好ましい。
【００９２】
また、図１４において、共有平面Ｓ１に対し線形プリズムの凹部の高さは、２水準あり一致しない。このように凹部の高さが一致しないプリズム型光学素子群は、プリズム型光学素子の相対する各面の面積を近づけることで、光学収率が向上した調光型太陽光発電モジュール用光学層が得られるという利点がある。
【００９３】
図１６、図１７、図１８は、本発明における他の実施形態の調光型太陽光発電モジュール用光学層である。具体的には、図１６は、本実施形態における調光型太陽光発電モジュール用光学層の斜視図を示す図であり、図１７は、本実施形態における調光型太陽光発電モジュール用光学層の側面図を示す図であり、図１８は、本実施形態における調光型太陽光発電モジュール用光学層の上面図を示す図である。図１６〜図１８に示すように、本実施形態の調光型太陽光発電モジュール用光学層の入射面１１および出射面１２には線形プリズムで構成されたプリズム型光学素子が多数設置されている。また、本実施形態においては、調光型太陽光発電モジュール用光学層の入射面１１に形成された多数のプリズム型光学素子と、出射面１２に形成された多数のプリズム型光学素子とが、同一の形状とされている。そして、入射面１１および出射面１２に設置されたプリズム型光学素子は、互いに隣り合うプリズム型光学素子で共有する共有底辺により定義される共有平面Ｓ１、Ｓ２上にある。そして、入射面１１に形成されているプリズム型光学素子の一部におけるプリズム軸７は、共有平面Ｓ１に垂直な面１３に対して、一方の方向に傾斜し、プリズム型光学素子の他の少なくとも一部のプリズム軸７’は、他方の方向に傾斜している。同様に出射面１２に形成されているプリズム型光学素子の一部におけるプリズム軸８は、共有平面Ｓ２に垂直な面１４に対して、一方の方向に傾斜し、プリズム型光学素子の他の少なくとも一部のプリズム軸８’は、他方の方向に傾斜している。本実施形態においては、入射面１１に形成されている互いに隣り合う１対のプリズム型光学素子のそれぞれのプリズム軸７、７’が互いに異なる方向に傾斜しており、出射面１２に形成されている互いに隣り合う１対のプリズム型光学素子のそれぞれのプリズム軸８、８’が互いに異なる方向に傾斜している。
【００９４】
また、本実施形態において、調光型太陽光発電モジュール用光学層の入射面１１に形成された多数のプリズム型光学素子と、出射面１２に形成された多数のプリズム型光学素子の位相は一致している。別言すれば、調光型太陽光発電モジュール用光学層の入射面１１に形成された多数のプリズム型光学素子と、出射面１２に形成された多数のプリズム型光学素子とが、入射面１１と出射面１２とで対称の形状となっている。
【００９５】
図１９、図２０、図２１は、本発明における他の実施形態の調光型太陽光発電モジュール用光学層である。具体的には、図１９は、本実施形態における調光型太陽光発電モジュール用光学層の斜視図を示す図であり、図２０は、本実施形態における調光型太陽光発電モジュール用光学層の側面図を示す図であり、図２１は、本実施形態における調光型太陽光発電モジュール用光学層の上面図を示す図である。図１９〜図２１に示すように、本実施形態の調光型太陽光発電モジュール用光学層は、線形プリズムで構成されたプリズム型光学素子が入射面１１にのみ多数形成され、出射面１２が平面とされている。また、入射面１１に形成されたプリズム型光学素子は、互いに隣り合うプリズム型光学素子で共有する共有底辺により定義される共有平面Ｓ１上にある。そして、プリズム型光学素子の一部のプリズム軸７は、共有平面Ｓ１に垂直な面１３に対して、一方の方向に傾斜し、プリズム型光学素子の他の少なくとも一部のプリズム軸７’は、他方の方向に傾きいている。本実施形態においては、互いに隣り合う１対のプリズム型光学素子のそれぞれのプリズム軸７、７’が互いに異なる方向に傾斜している。
【００９６】
なお、図２０において、共有平面Ｓ１に対し線形プリズムの凹部の高さは一致する。このように凹部の高さが一致する光学素子群は、調光型太陽光発電モジュール用光学層を薄くすることができ、例えばコスト面や光の透過量を向上させるという利点がある。
【００９７】
図２２、図２３、図２４は、本発明における他の実施形態の調光型太陽光発電モジュール用光学層である。具体的には、図２２は、本実施形態の調光型太陽光発電モジュール用光学層の斜視図を示す図であり、図２３は、本実施形態における調光型太陽光発電モジュール用光学層の側面図を示す図であり、図２４は、本実施形態における調光型太陽光発電モジュール用光学層の上面図を示す図である。図２２〜図２４に示すように、本実施形態の調光型太陽光発電モジュール用光学層は、入射面１１および出射面１２に線形プリズムで構成されたプリズム型光学素子が多数形成されている。また、本実施形態においては、調光型太陽光発電モジュール用光学層の入射面１１に形成された多数のプリズム型光学素子と、出射面１２に形成された多数のプリズム型光学素子とが、同一の形状とされている。そして、入射面１１および出射面１２に設置されたプリズム型光学素子は、互いに隣り合うプリズム型光学素子で共有する共有底辺により定義される共有平面Ｓ１、Ｓ２上にある。また、入射面１１に形成されているプリズム型光学素子の一部のプリズム軸７は、共有平面Ｓ１に垂直な面１３に対して、一方の方向に傾斜し、プリズム型光学素子の他の少なくとも一部のプリズム軸７’は、他方の方向に傾きいている。同様に出射面１２に形成されているプリズム型光学素子の一部におけるプリズム軸８は、共有平面Ｓ２に垂直な面１４に対して、一方の方向に傾斜し、プリズム型光学素子の他の少なくとも一部のプリズム軸８’は、他方の方向に傾斜している。本実施形態においては、入射面１１に形成されている互いに隣り合う１対のプリズム型光学素子のそれぞれのプリズム軸７、７’が互いに異なる方向に傾斜しており、出射面１２に形成されている互いに隣り合う１対のプリズム型光学素子のそれぞれのプリズム軸８、８’が互いに異なる方向に傾斜している。
【００９８】
また、本実施形態において、調光型太陽光発電モジュール用光学層の入射面１１に形成された多数のプリズム型光学素子と、出射面１２に形成された多数のプリズム型光学素子の位相は一致している。本実施形態においては、上述の様に入射面１１に形成された多数のプリズム型光学素子と、出射面１２に形成された多数のプリズム型光学素子とが、同一の形状とされているため、調光型太陽光発電モジュール用光学層の入射面１１に形成された多数のプリズム型光学素子と、出射面１２に形成された多数のプリズム型光学素子とが、入射面１１と出射面１２とで対称の形状となっている。
【００９９】
図２５、図２６、図２７は、本発明における他の実施形態の調光型太陽光発電モジュール用光学層である。具体的には、図２５は、本実施形態の調光型太陽光発電モジュール用光学層の斜視図を示す図であり、図２６は、本実施形態における調光型太陽光発電モジュール用光学層の側面図を示す図であり、図２７は、本実施形態における調光型太陽光発電モジュール用光学層の上面図を示す図である。図２５〜図２７に示すように、本実施形態の調光型太陽光発電モジュール用光学層は、入射面１１および出射面１２に線形プリズムで構成されたプリズム型光学素子が多数形成されている。また、本実施形態においては、調光型太陽光発電モジュール用光学層の入射面１１に形成された多数のプリズム型光学素子と、出射面１２に形成された多数のプリズム型光学素子とが、異なる形状とされている。そして、入射面１１および出射面１２に設置されたプリズム型光学素子は、互いに隣り合うプリズム型光学素子で共有する共有底辺により定義される共有平面Ｓ１、Ｓ２上にある。また、入射面１１に形成されるプリズム型光学素子の一部のプリズム軸７は、共有平面Ｓ１に垂直な面１３に対して一方の方向に傾斜し、プリズム型光学素子の他の少なくとも一部のプリズム軸７’は、他方の方向に傾きいている。本実施形態においては、互いに隣り合う１対のプリズム型光学素子のそれぞれのプリズム軸７、７’が互いに異なる方向に傾斜している。一方、出射面１２に形成されているプリズム型光学素子のプリズム軸８は、光学素子の頂点から共有平面Ｓ２に下した垂線１４に対し一致している。
【０１００】
また、本実施形態において、調光型太陽光発電モジュール用光学層の入射面１１に形成された多数のプリズム型光学素子と、出射面１２に形成された多数のプリズム型光学素子とが、異なる形状であるが、入射面１１に形成された多数のプリズム型光学素子と、出射面１２に形成された多数のプリズム型光学素子の位相は一致している。
【０１０１】
図２８、図２９、図３０、図３１は、従来技術による光学層である。具体的には、図２８は、この従来技術による太陽光発電モジュール用光学層の斜視図を示す図であり、図２９は、この従来技術による太陽光発電モジュール用光学層の側面図を示す図であり、図３０は、この従来技術による太陽光発電モジュール用光学層の他の側面図を示す図であり、図３１は、この従来技術による太陽光発電モジュール用光学層の上面図を示す図である。図２８〜図３１に示すように、光学層の入射面１１には四角錐型プリズムで構成されたプリズム型素子が多数形成されており、出射面１２が平面とされている。また、入射面１１に設置されたプリズム型光学素子は、互いに隣り合うプリズム型光学素子で共有する共有底辺により定義される共有平面Ｓ１上にある。そして、入射面１１に形成されるそれぞれのプリズム型光学素子のプリズム軸は、それぞれのプリズム型光学素子の頂点から共有平面Ｓ１に下した垂線に対し一致している。
【０１０２】
図３２、図３３、図３５は、本発明における他の実施形態の調光型太陽光発電モジュール用光学層である。具体的には、図３２は、本実施形態の調光型太陽光発電モジュール用光学層の斜視図を示す図であり、図３３は、本実施形態の調光型太陽光発電モジュール用光学層の側面図を示す図であり、図３４は、本実施形態の調光型太陽光発電モジュール用光学層の他の側面図を示す図であり、図３５は、本実施形態の調光型太陽光発電モジュール用光学層の上面図を示す図である。図３２〜図３５に示すように、本実施形態の調光型太陽光発電モジュール用光学層の入射面１１には四角錐型プリズムで構成されたプリズム型素子が多数形成されており、出射面１２が平面とされている。また、入射面１１に設置されたプリズム型光学素子は、互いに隣り合うプリズム型光学素子で共有する共有底辺により定義される共有平面Ｓ１上にある。そして、入射面１１に形成された一部のプリズム型光学素子のプリズム軸７は、共有平面Ｓ１に垂直な面１３に対して傾斜し、プリズム型光学素子の他の少なくとも一部のプリズム軸７’は、他方の方向に傾斜している。なお、図３４においては、図３３と異なる側面であるため、プリズム軸７、７’が一致して見えている。本実施形態においては、互いに隣り合う１対のプリズム型光学素子のそれぞれのプリズム軸７、７が互いに異なる方向に傾斜している。
【０１０３】
図３６、図３７、図３８、図３９は、本発明における他の実施形態の調光型太陽光発電モジュール用光学層である。図３６は、本参考例の調光型太陽光発電モジュール用光学層の斜視図を示す図であり、図３７は、本参考例の調光型太陽光発電モジュール用光学層の側面図を示す図であり、図３８は、本参考例の調光型太陽光発電モジュール用光学層の他の側面図を示す図であり、図３５は、本参考例の調光型太陽光発電モジュール用光学層の上面図を示す図である。図３６〜図３９に示すように、本実施形態の調光型太陽光発電モジュール用光学層の入射面１１には四角錐型プリズムで構成されたプリズム型素子が多数形成されており、出射面１２には線形プリズムで構成されたプリズム型素子が多数形成されている。そして、入射面１１に設置されたプリズム型光学素子は、互いに隣り合うプリズム型光学素子で共有する共有底辺により定義される共有平面Ｓ１上にある。また、入射面１１に形成された一部のプリズム型光学素子のプリズム軸７は、共有平面にＳ１に垂直な面に対して傾斜し、プリズム型光学素子の他の少なくとも一部のプリズム軸７’は、他方の方向に傾斜している。本実施形態においては、互いに隣り合う１対のプリズム型光学素子のそれぞれのプリズム軸７、７’が互いに異なる方向に傾斜している。なお、図３８においては、図３７と異なる側面であるため、プリズム軸７、７’が一致して見えている。一方、出射面１２に形成されたプリズム型光学素子は、互いに隣り合う素子プリズム型光学素子で共有する共有底辺により定義される共有平面Ｓ２上にあり、出射面１２に形成されたプリズム型光学素子のプリズム軸は、光学素子の頂点から共有平面Ｓ２に下した垂線に対し一致している。
【０１０４】
図４０、図４１、図４２、図４３は、本発明における他の実施形態の調光型太陽光発電モジュール用光学層である。具体的には、図４０は、本実施形態の調光型太陽光発電モジュール用光学層の斜視図を示す図であり、図４１は、本実施形態の調光型太陽光発電モジュール用光学層の側面図を示す図であり、図４２は、本実施形態の調光型太陽光発電モジュール用光学層の他の側面図を示す図であり、図４３は、本実施形態の調光型太陽光発電モジュール用光学層の上面図を示す図である。図４０〜図４３に示すように、本実施形態の調光型太陽光発電モジュール用光学層の入射面１１には、四角錐型プリズムで構成されたプリズム型素子が多数形成されており、出射面は平面とされている。また、入射面１１に設置されたプリズム型光学素子は、互いに隣り合うプリズム型光学素子で共有する共有底辺により定義される共有平面Ｓ１上にある。そして、図４３に示すようにプリズム型光学素子のプリズム軸７は、共有平面に下した垂線に対し、図４３において、左右および上下に傾斜している。別言すれば、共有平面Ｓ１上にある光学素子は、共有平面Ｓ１に垂直な方向に対して、所定の方向に傾斜しており、かつ、一部のプリズム型光学素子のプリズム軸７は、共有平面Ｓ１に垂直な面に対して、一方側に傾斜しており、他の少なくとも一部のプリズム型光学素子のプリズム軸７’は、共有平面Ｓ１に垂直な面に対して、他方側に傾斜している。
【０１０５】
図４４、図４５、図４６は、他の参考例における調光型太陽光発電モジュール用光学層である。具体的には、図４４は、本参考例の調光型太陽光発電モジュール用光学層の斜視図を示す図であり、図４５は、本参考例の調光型太陽光発電モジュール用光学層の側面図を示す図であり、図４６は、本参考例の調光型太陽光発電モジュール用光学層の上面図を示す図である。図４４〜図４６に示すように、本参考例の調光型太陽光発電モジュール用光学層の入射面１１には、コーナーキューブ型プリズムで構成されたプリズム型素子が複数形成されており、出射面は平面とされている。また、入射面１１に形成されたプリズム型光学素子は、互いに隣り合うプリズム型光学素子で共有する共有底辺により定義される共有平面Ｓ１上にある。そして、図４５に示すように、プリズム型光学素子のプリズム軸は、光学素子の頂点から該共有平面に下した垂線に対し、所定の方向に傾斜している。なお、本実施形態において、プリズム型光学素子は、プリズム軸７が所定の方向に複数の角度で傾斜するように形成されていても良い。
【０１０６】
図４７は本発明による太陽光発電パネルを構成する太陽光発電モジュールの断面構成図を示す。
【０１０７】
図４７において１は表面を保護する層であり、通常ガラス板が好ましく用いられる。４は、上述の従来技術における光学層や、参考例や本発明の実施形態における調光型太陽光発電モジュール用光学層を示し、多数の光学素子がその表面に形成されている。本発明の調光型太陽光発電モジュール用光学層が用いられる場合には、プリズム型光学素子の光学軸７は垂直面に対して１０〜５０°傾斜されるように設計されている。２および５は表面層１、光学層４および太陽電池セル６を接合する接着剤層である。こうして、調光型太陽光発電モジュール用光学層４と太陽電池セル６は対向している。なお、調光型太陽光発電モジュール用光学層４と太陽電池セル６とは、互いに平行な状態で対向している必要はなく、非平行な状態で対向していても良い。
【０１０８】
また、調光型太陽光発電モジュール用光学層４と表面層１との間には空気層３が設置されていることが光学収率を改善するために好ましい。空気層３を設けるためには接着剤層２を部分的に接合させてカプセル構造にすることが例示できる。
【０１０９】
この調光型太陽光発電パネルは、調光型太陽光発電モジュールを備えており、調光型太陽光発電モジュールに背面を補強するためのアルミニウムなどの金属板、プラスチック板製の背面材、周囲を囲って補強と防水を行う補強フレーム材を適宜設置することが出来る。
【０１１０】
なお、本発明における調光型太陽光発電モジュール用光学層４のプリズム型光学素子は、太陽光発電パネルが正午における太陽の方向（北半球においては南の方向）で設置された状態において、プリズム型光学素子の光学軸が水平方向に対して−４０〜４０°傾斜することが出来、さらに、水平方向に対して−４０〜−５°および／または＋５〜＋４０°傾斜していることがより好ましい。この様に東西方向に光学軸が傾斜した素子を用いれば南方向から外れた方向に設置された太陽光発電パネルであっても太陽光を光学軸に沿って受光し効率的に太陽電池セルに照射させることが出来る。
【０１１１】
図４８〜図５１は、本発明における他の実施形態の調光型太陽光発電モジュール用光学層である。具体的には、図４８は、本実施形態の調光型太陽光発電モジュール用光学層の斜視図を示す図であり、図４９は、本実施形態の調光型太陽光発電モジュール用光学層の側面図を示す図であり、図５０は、本実施形態の調光型太陽光発電モジュール用光学層の他の側面図を示す図であり、図５１は、本実施形態の調光型太陽光発電モジュール用光学層の上面図を示す図である。この調光型太陽光発電モジュール用光学層におけるプリズム型光学素子は、図４８に示す様に、図４４に示されるプリズム型光学素子と同様にして、３つの互に直角な側面（ａ面，ｂ面，および，ｃ面）より構成されるいわゆるキューブコーナー素子によって構成される。本実施形態においては、プリズム型光学素子は図においてＬとＲで示される左右に傾斜する一対の２種類の光学素子が組み合わされている。Ｌと示される素子は光学軸が図面左方向に傾斜されており、Ｒと示される素子は右方向に傾斜されている。
【０１１２】
また、図４ａ〜図５１７に示すプリズム型光学素子が形成された調光型太陽光発電モジュール用光学層を用いた太陽光発電パネルＰのパネル面が南方向に向けられている場合には、光学軸が東西方向に対して５〜４０°相対する方向に傾斜した対称形のプリズム型光学素子を一対として形成されている。このために、日内差で太陽光の入射角度が変化しても、入射光を光学軸に沿って受光し効率的に太陽電池セルに照射させることが出来る。
【０１１３】
さらに図４８〜図５１に示される光学素子を構成する３つの互いに直角な側面（ａ面，ｂ面，および，ｃ面）の内、ａ面とｂ面はｃ面に比較して小さな面を持っている。その結果、図４５と図４６に示される調光型太陽光発電モジュール用光学層と同様に、図４７におけるプリズム型光学素子の光学軸は、プリズム型光学素子の頂点群で定義される平面に平行な基準平面に対して垂直ではなく、図面手前の方向（ａ面とｂ面の方向）に傾斜している。
【０１１４】
図５２は、本発明による太陽子発電パネルＰに用いることが出来る他の実施形態の光学素子の斜視図を示す。図５２におけるプリズム型光学素子は、いわゆる所謂四角錘型プリズムと呼ばれ、図示されたプリズム型光学素子は、基準平面に対して垂直な光学軸を有しているように描かれているが、実際は、光学軸が図９に示された光学素子のように鉛直線に対して１０〜５０°傾斜されている。そして、図４７に示す太陽光発電モジュールを備えた調光型太陽光発電パネルに適用される場合には、さらに、東西方向に対して５〜４０°相対する方向に傾斜した対称形の光学素子を一対として形成されていることが好ましい。
【０１１５】
次に光学層を光が透過する様子について説明する。
【０１１６】
図５３は、図７〜図９、および、図２８〜図３１に示す、従来技術による光学層を光が透過する様子を示す図である。図５３に示すように、光学層に対して垂直に入射する光は、光学層に対して傾斜して出射する傾向にある。また、光学層に垂直な方向に対して、比較的小さな角度θ１で入射する光は、光学層に垂直な方向に対して角度θ１よりも大きな角度で出射する傾向にある。さらに、光学層に垂直な方向に対して、比較的大きな角度θ２で入射する光は、出射面において前反射を起こして出射されない場合がある。従って、このような光学層を図４７に示す光発電モジュールに適用すると、太陽電池セルに対する光の入射光率が悪い。
【０１１７】
図５４は、図１０〜図１２に示す、従来技術における光学層を光が透過する様子を示す図である。図５４に示すように、光学層に対して垂直な方向に入射する光は、光学層に対して垂直な方向に出射される傾向にある。また、光学層に垂直な方向に対して比較的小さな角度θ１で入射する光、及び、光学層に垂直な方向に対して比較的大きな角度θ２で入射する光は、共に入射する光と平行な方向に出射される傾向にある。従って、このような光学層を図４７に示す光発電モジュールに適用しても、太陽電池セルに対する光の入射光率は向上しない傾向にある。
【０１１８】
図５５は、図１３〜図１５に示す本発明の実施形態における調光型太陽光発電モジュール用光学層を光が透過する様子を示す図である。図５５に示すように、調光型太陽光発電モジュール用光学層に対して垂直な方向に入射する光は、調光型太陽光発電モジュール用光学層に対して垂直な方向から多少傾斜し、調光型太陽光発電モジュール用光学層に垂直な方向に対して比較的小さな角度θ１で入射する光は、調光型太陽光発電モジュール用光学層に垂直な方向に対して角度θ１よりも大きな角度で出射する。しかし、調光型太陽光発電モジュール用光学層に垂直な方向に対して比較的大きな角度θ２で入射する光は、出射面から出射することができる。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、太陽の移動に伴う太陽光の入射角度が変化する場合においても、優れた太陽光指向性を有するものとすることができる。
【０１１９】
図５６は、図１６〜図１８に示す本発明の他の実施形態における調光型太陽光発電モジュール用光学層を光が透過する様子を示す図である。図５６に示すように、調光型太陽光発電モジュール用光学層に対して垂直な方向に入射する光は、調光型太陽光発電モジュール用光学層に対して垂直な方向から多少傾斜し、調光型太陽光発電モジュール用光学層に垂直な方向に対して比較的小さな角度θ１で入射する光は、調光型太陽光発電モジュール用光学層に垂直な方向に対して角度θ１よりも大きな角度で出射する。しかし、調光型太陽光発電モジュール用光学層に垂直な方向に対して比較的大きな角度θ２で入射する光は、出射面から出射することができる。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、太陽の移動に伴う太陽光の入射角度が変化する場合においても、優れた太陽光指向性を有するものとすることができる。
【０１２０】
図５７は、図１９〜図２１に示す本発明の他の実施形態における調光型太陽光発電モジュール用光学層を光が透過する様子を示す図である。図５７に示すように、調光型太陽光発電モジュール用光学層に対して垂直な方向に入射する光は、調光型太陽光発電モジュール用光学層に対して垂直な方向から多少傾斜し、調光型太陽光発電モジュール用光学層に垂直な方向に対して比較的小さな角度θ１で入射する光は、調光型太陽光発電モジュール用光学層に垂直な方向に対して角度θ１よりも大きな角度で出射する。しかし、調光型太陽光発電モジュール用光学層に垂直な方向に対して比較的大きな角度θ２で入射する光は、出射面から出射することができる。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、太陽の移動に伴う太陽光の入射角度が変化する場合においても、優れた太陽光指向性を有するものとすることができる。
【０１２１】
図５８は、図２２〜図２４に示す本発明の他の実施形態における調光型太陽光発電モジュール用光学層を光が透過する様子を示す図である。図５８に示すように、調光型太陽光発電モジュール用光学層に対して垂直な方向に入射する光は、調光型太陽光発電モジュール用光学層に対して垂直な方向から多少傾斜し、調光型太陽光発電モジュール用光学層に垂直な方向に対して比較的小さな角度θ１で入射する光は、調光型太陽光発電モジュール用光学層に垂直な方向に対して角度θ１よりも大きな角度で出射する。しかし、調光型太陽光発電モジュール用光学層に垂直な方向に対して比較的大きな角度θ２で入射する光は、出射面から出射することができる。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、太陽の移動に伴う太陽光の入射角度が変化する場合においても、優れた太陽光指向性を有するものとすることができる。
【０１２２】
図５９は、図２５〜図２７に示す本発明の他の実施形態における調光型太陽光発電モジュール用光学層を光が透過する様子を示す図である。図５９に示すように、調光型太陽光発電モジュール用光学層に対して垂直な方向に入射する光は、調光型太陽光発電モジュール用光学層に対して略垂直な方向から出射される。また、調光型太陽光発電モジュール用光学層に垂直な方向に対して比較的小さな角度θ１で入射する光は、調光型太陽光発電モジュール用光学層に垂直な方向に対して角度θ１よりも大きな角度で出射する。しかし、調光型太陽光発電モジュール用光学層に垂直な方向に対して比較的大きな角度θ２で入射する光は、出射面から出射することができる。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、さらに、調光型太陽光発電モジュール用光学層に垂直な方向に対して角度をもって入射する光の出射方向を改善することができる。従って、太陽の移動に伴う太陽光の入射角度が変化する場合においても、優れた太陽光指向性を有するものとすることができる。
【０１２３】
図６０は、図３２〜図３５に示す本発明の他の実施形態における調光型太陽光発電モジュール用光学層を光が透過する様子を示す図である。図６０に示すように、調光型太陽光発電モジュール用光学層に対して垂直な方向に入射する光は、調光型太陽光発電モジュール用光学層に対して垂直な方向から多少傾斜するものの、調光型太陽光発電モジュール用光学層に垂直な方向に対して比較的小さな角度θ１で入射する光、及び、比較的大きな角度θ２で入射する光は、出射する角度が、角度θ１、θ２よりも改善されて、共に出射面から出射することができる。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、太陽の移動に伴う太陽光の入射角度が変化する場合においても、優れた太陽光指向性を有するものとすることができる。
【０１２４】
図６１は、図３６〜図３９に示す本発明の他の実施形態における調光型太陽光発電モジュール用光学層を光が透過する様子を示す図である。図６１に示すように、調光型太陽光発電モジュール用光学層に対して垂直な方向に入射する光は、調光型太陽光発電モジュール用光学層に対して略垂直な方向から出射され、調光型太陽光発電モジュール用光学層に垂直な方向に対して比較的小さな角度θ１で入射する光、及び、比較的大きな角度θ２で入射する光は、それぞれ入射する際の角度θ１、θ２よりも、垂直に近い角度で出射面から出射される。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、さらに、調光型太陽光発電モジュール用光学層に垂直な方向に対して角度をもって入射する光の出射方向を改善することができる。従って、太陽の移動に伴う太陽光の入射角度が変化する場合においても、優れた太陽光指向性を有するものとすることができる。
【０１２５】
図６２は、図４０〜図４３に示す本発明の他の実施形態における調光型太陽光発電モジュール用光学層を光が透過する様子を示す図である。図６２に示すように、調光型太陽光発電モジュール用光学層に対して垂直な方向に入射する光は、調光型太陽光発電モジュール用光学層に対して垂直な方向から多少傾斜するものの、調光型太陽光発電モジュール用光学層に垂直な方向に対して比較的小さな角度θ１で入射する光、及び、比較的大きな角度θ２で入射する光は、それぞれ入射する際の角度θ１、θ２よりも、垂直に近い角度で出射面から出射される。従って、このような調光型太陽光発電モジュール用光学層を図４７に示す太陽光発電モジュールに適用することにより、調光型太陽光発電モジュール用光学層に垂直な方向に対して大きな角度を有する光が入射する場合においても、太陽電池セルに対して入射する光の効率を改善でき、太陽の移動に伴う太陽光の入射角度が変化する場合においても、優れた太陽光指向性を有するものとすることができる。
【０１２６】
図６３は、図４４〜図４６に示す参考例における調光型太陽光発電モジュール用光学層を光が透過する様子を示す図である。図６３に示すように、調光型太陽光発電モジュール用光学層に対して垂直な方向に入射する光は、調光型太陽光発電モジュール用光学層に対して垂直な方向から多少傾斜する。しかし、調光型太陽光発電モジュール用光学層のプリズム型光学素子が傾斜されにされた所定の方向に対して比較的小さな角度θ１で入射する光、及び、比較的大きな角度θ２で入射する光は、それぞれ入射する際の角度θ１、θ２よりも、垂直に近い角度で出射面から出射される。従って、このような調光型太陽光発電モジュール用光学層を図４７に示す太陽光発電モジュールに適用することにより、プリズム型光学素子が傾斜されにされた所定の方向から入射する太陽光に対して、優れた太陽光指向性を有するものとすることができる。よって、この調光型太陽光発電モジュール用光学層を用いた太太陽電池パネルは、このプリズム型光学素子が傾けられて方向を上側になるように設置されることにより、優れた太陽光指向性を有するものとすることができる。
【０１２７】
なお、図６２において示さなかったが、図４３に示す側面図において、光が透過する様子を示すと、図６３に示すように、調光型太陽光発電モジュール用光学層のプリズム型光学素子が傾斜されにされた所定の方向に対して比較的小さな角度で入射する光、及び、比較的大きな角度で入射する光は、共に出射面から出射することができる。従って、このような調光型太陽光発電モジュール用光学層を図４７に示す太陽光発電モジュールに適用することにより、プリズム型光学素子が傾斜されにされた所定の方向から入射する太陽光に対して、優れた太陽光指向性を有するものとすることができる。よって、この調光型太陽光発電モジュール用光学層を用いた太太陽電池パネルは、このプリズム型光学素子が傾けられて方向を上側になるように設置されることにより、優れた太陽光指向性を有するものとすることができる。
【産業上の利用可能性】
【０１２８】
本発明は、調光型太陽光発電パネルおよび同装置に好ましく用いられる調光型太陽光発電モジュールの技術に関し、より具体的には調光型太陽電池モジュールを構成する調光光学層に関する。【０１２９】
さらに詳しくは、調光型の太陽光発電パネルであって、改善された太陽光指向性、設置面積改善性を有する調光型太陽光発電パネルに関する。【０１３０】
さらにまた、太陽光発電パネル中で原料コスト比率の大きな太陽電池セルの使用量を削減できる調光型太陽光発電パネルに関する。
【符号の説明】
【０１３１】
１・・・表面層
２、５・・・接着剤層
３・・・空気層
４・・・光学素子層（調光型太陽光発電モジュール用光学層）
６・・・太陽電池セル
７、７’・・・プリズム軸
８、８’ ・・・プリズム軸
１１・・・入射面
１２・・・出射面
１３、１４・・・共有平面に垂直な方向
Ｐ・・・太陽光発電パネル
Ｓ１、Ｓ２・・・共有平面
【図１】
2010061637.tif 000003
【図２】
2010061637.tif 000004
【図３】
2010061637.tif 000005
【図４】
2010061637.tif 000006
【図５】
2010061637.tif 000007
【図６】
2010061637.tif 000008
【図７】
2010061637.tif 000009
【図８】
2010061637.tif 000010
【図９】
2010061637.tif 000011
【図１０】
2010061637.tif 000012
【図１１】
2010061637.tif 000013
【図１２】
2010061637.tif 000014
【図１３】
2010061637.tif 000015
【図１４】
2010061637.tif 000016
【図１５】
2010061637.tif 000017
【図１６】
2010061637.tif 000018
【図１７】
2010061637.tif 000019
【図１８】
2010061637.tif 000020
【図１９】
2010061637.tif 000021
【図２０】
2010061637.tif 000022
【図２１】
2010061637.tif 000023
【図２２】
2010061637.tif 000024
【図２３】
2010061637.tif 000025
【図２４】
2010061637.tif 000026
【図２５】
2010061637.tif 000027
【図２６】
2010061637.tif 000028
【図２７】
2010061637.tif 000029
【図２８】
2010061637.tif 000030
【図２９】
2010061637.tif 000031
【図３０】
2010061637.tif 000032
【図３１】
2010061637.tif 000033
【図３２】
2010061637.tif 000034
【図３３】
2010061637.tif 000035
【図３４】
2010061637.tif 000036
【図３５】
2010061637.tif 000037
【図３６】
2010061637.tif 000038
【図３７】
2010061637.tif 000039
【図３８】
2010061637.tif 000040
【図３９】
2010061637.tif 000041
【図４０】
2010061637.tif 000042
【図４１】
2010061637.tif 000043
【図４２】
2010061637.tif 000044
【図４３】
2010061637.tif 000045
【図４４】
2010061637.tif 000046
【図４５】
2010061637.tif 000047
【図４６】
2010061637.tif 000048
【図４７】
2010061637.tif 000049
【図４８】
2010061637.tif 000050
【図４９】
2010061637.tif 000051
【図５０】
2010061637.tif 000052
【図５１】
2010061637.tif 000053
【図５２】
2010061637.tif 000054
【図５３】
2010061637.tif 000055
【図５４】
2010061637.tif 000056
【図５５】
2010061637.tif 000057
【図５６】
2010061637.tif 000058
【図５７】
2010061637.tif 000059
【図５８】
2010061637.tif 000060
【図５９】
2010061637.tif 000061
【図６０】
2010061637.tif 000062
【図６１】
2010061637.tif 000063
【図６２】
2010061637.tif 000064
【図６３】
2010061637.tif 000065
【国際調査報告】
2010061637.tif 000066
2010061637.tif 000067
2010061637.tif 000068
2010061637.tif 000069